Podtech/llm-jp-corpus-v4-ja_patent huggingface dataset:
(57)【要約】【課　題】受験生が時刻を確認するたびに、「合格」への自信を深める時計を提供する。【解決手段】文字盤の数字は１と２、及び５と９（１）のみを表示し、ペン先を図形化した短針（２）、長針（３）にはそれぞれ「合」、「格」の字を刻み、外形（５）は五角形とする。さらに時報及びアラーム（４）が「ゴーカク、ゴーカク」を連呼し、「合格」を確信させる。【選択図】　図１
0003098568.tif 000002
【実用新案登録請求の範囲】
【請求項１】
文字盤に「連想又は強調すべき時刻の数字のみ（１、２と５、９）」を表示又は拡大表示した時計。
【請求項２】
短針、長針をそれぞれ図形化し、「確信又は強調すべきことば（合格）」を刻印した時計。
【請求項３】
時計及びアラームが「確信又は強調すべきことば（合格）」を連呼する時計。
【請求項４】
外形から「確信又は強調すべきことば（合格）」を連想できる時計。
【考案の詳細な説明】
【０００１】
【考案の属する技術分野】この考案は、受験生が「合格（ゴーカク）」を潜在意識に徹底的に染み込ませ、「合格」を空想から確信に変えると共に、味気ない受験生活に、ユーモアと激励を与える時計に関するものである。
【０００２】
【従来の技術】従来の時計の文字盤は数字のみ、もしくは印のみ、あるいはその組み合わせで時刻を表示していた。又、短針、長針は単に時刻を指し示すのみであった。又、時報及びアラームも一部を除いて、特別の意味を持つものではなかった。
【０００３】
【考案が解決しようとする課題】本考案は、単に時刻を知るだけの従来の時計に、「合格」という強烈なメッセージを発信させようとしてなされたものである。
【０００４】
【課題を解決するための手段】いまこれを図面について説明すると、
（イ）文字盤の数字は１と２、及び５と９（１）を表示するのみ（５と９は拡大）で、他は印（□と○）で表わす。
（ロ）短針（２）、長針（３）は共に万年筆のペン先を図形化し、短針には「合」、長針には「格」の字を刻む。
（ハ）時報及びアラーム（４）は「ゴーカク、ゴーカク」を連呼するものであり、時報は１秒前（つまり５９分５９秒）になると発する。
（ニ）外形（５）は五角形にデザインされたものとする。
本考案は以上のような構成からなる時計である。
【０００５】
【考案の実施の形態】次に本考案の実施の形態について解説すると、
（イ）文字盤の５と９の拡大表示（１）は「ゴーカク」と読め、「合格」を意識する。
（ロ）短針（２）、長針（３）のペン先は、１分１秒を惜しんで勉強に励む大切さを意図し、１時、２時（１）はそれぞれ１次、２次の各試験に「合」、「格」と連想する。
（ハ）時報及びアラーム（４）の「ゴーカク、ゴーカク」の連呼は、時報あるいは起床のたびに「合格への確信」をより一層深めることになる。
（ニ）時計の五角の外形（５）は「ゴーカク」に通じるものであり、「合格」を再認識する。
【０００６】
【考案の効果】受験勉強は他人との競争である以上に、自分自身との闘いである。長くつらい生活から抜け出すためには、１分１秒の無駄も排し、規則正しい生活を送り、確固たる信念を持続しながら、努力することである。
時刻を確認するたびに、「合格」を意識し、連想し、時報やアラームで激励されるならば、「必ず合格できる」というゆるぎない自信がわいてくるはずである。
【図面の簡単な説明】
【図１】本考案の正面図である。
【符号の説明】
１　表示する文字盤の時刻
２　短針
３　長針
４　アラーム
５　外形
６　秒針
【図１】
0003098568.tif 000003
【手続補正書】
【提出日】平成15年5月9日(2003.5.9)
【手続補正１】
【補正対象書類名】明細書
【補正対象項目名】請求項３
【補正方法】変更
【補正の内容】
【請求項３】
時報及びアラームが「確信又は強調すべきことば（合格）」を連呼する時計。
【手続補正書】
【提出日】平成15年7月29日(2003.7.29)
【手続補正１】
【補正対象書類名】明細書
【補正対象項目名】実用新案登録請求の範囲
【補正方法】変更
【補正の内容】
【実用新案登録請求の範囲】
【請求項１】
文字盤に連想または強調すべき時刻の数字である１，２，５及び９を表示もしくは拡大表示した時計。
【請求項２】
短針、長針をそれぞれ図形化し確信または強調すべきことばである合格を刻印した請求項１記載の時計。
【請求項３】
時報またはアラームが合格ということばを連呼する請求項１または２記載の時計。
【請求項４】
外形を五角形にした合格を連想できる請求項１，２または３記載の時計。
(57)【要約】【課題】使用し続けた固形石けんは小さく変形し、それ以上使用されないで放置される傾向があり排水口や排水管の目詰り、さらには資源を有効活用するうで問題点を有していた。【解決手段】固形石けん１の上面、下面のいずれか片面に楕円形のくぼみ２を作り、そこに使用して小さくなった石けんを密着し易くし、継続して一体的に利用できるようにした。【選択図】　図１
0003098561.tif 000002
【実用新案登録請求の範囲】
【請求項１】
固形石けん１に楕円形のくぼみ２を付けることで、使用して小さくなった石けん３を密着し易くし、継続して一体的に利用できる石けん。
【考案の詳細な説明】
【０００１】
【考案が解決しようとする課題】
従来、使用し続けた固形石けんは小さく変形し、それ以上使用されないで放置される傾向があり排水口、排水管の目詰りや資源未活用の問題点を有していた。
【０００２】
【課題を解決するための手段】
上記の課題を解決するために、固形石けんの上面、下面のいずれか片面に楕円
形
【数１】のくぼみ
【数２】を作り、そこに使用して小さくなった石けんを密着し易くするようにした。
【０００３】
【数１】
0003098561.tif 000003
【０００４】
【数２】
0003098561.tif 000004
【０００５】
【考案の効果】
小さくなった石けんが引き起こす排水口、排水管の目詰りの解消や資源の有効活用を図ることができる。さらに環境への負荷の低減につながる。
【図面の簡単な説明】
【図１】固形石けんの斜視図
【図２】使用し小さくなった石けんを密着させた投射図
【図３】使用し小さくなった石けんを密着させた断面図
【符号の説明】
１　固形石けん
２　くぼみ
３　使用し小さくなった石けん
【図１】
0003098561.tif 000005
【図２】
0003098561.tif 000006
【図３】
0003098561.tif 000007
(57)【要約】　　　（修正有）【課題】高音ラが出せるオカリーナを得る。【解決手段】左手人差指で、長方形又は小と大の２ケ所とした指穴１０を設けることでシ，ド，レを吹けるようにし、指穴１１，１２，１３，２０は１度ずつ上げることを可能に、高音レが吹けるようにした。【選択図】　　　図１
0003098600.tif 000002
【実用新案登録請求の範囲】
【請求項１】
吹き口の他に突起部を設け、穿孔することにより、高音を出せるようにしたオカリーナ
【実用新案登録第３０９２８２０号】に、指穴を増設するか、長穴にして、高音ラが出るようにしたオカリーナ。
【考案の詳細な説明】
【０００１】
【考案の属する技術分野】
本考案は、オカリーナに関するものである。
【０００２】
【従来の技術】
実用新案登録第３０９２８２０号に示す様に、低音ソ〜高音ソ迄と、２オクターブが出せるようになったが、高音ラが出ない。
【０００３】
【考案が解決しようとする課題】
高音ラが出せる、オカリーナを提供する。
【０００４】
【考案の実施例】
第１図か第２図に示す通の形状をしている。
【０００５】
【考案が解決するための手段】
この考案は、高音ラを出すため、実用新案登録第３０９２８２０号の指穴１０を、長円形又は、小と大の２ヶ所のとすることにより高音のドとレが、吹奏できるようにした。
【０００６】
続いて、この考案、第１図、１０の指穴の運指の方法について述べる。従来の物では、塞いでシ、開いてド、しか出せなかった、本案では、左人差指の運指で、長円形の場合、塞いでシ、半開してド、全開してレが吹奏できる。又、第２図の場合、小と大の穴を同時に塞ぐとシ、小の穴のみ開いてド、更に大の穴を開いてレが吹ける。
【０００７】左人差指により、高音レが吹けるようになったので、指穴、１１〜１３．２０は、それぞれ、１度ずつ上げることが出来、高音ラが吹けるようになった。
【考案の効果】
高音ラが出せるようになった。
【０００８】
このことにより、移調しなくても吹ける曲が、大幅に増え、移調した譜面の作成の手間が、減らせる。
【図面の簡単な説明】
【図１】
【図２】この考案の正面図で、実施例である。
【図３】実用新案登録第３０９２８２０号の実施例である。
【符号の説明】
１　　　　　オカリーナ本体
２　　　　　吹き口
３　　　　　空洞
４〜９　　　指穴
１０　　　　指穴　（長円形又は、小と大の２ヶ所でもよい）
１１〜１５　指穴
１６　　　　捨て穴
１７　　　　音穴
１８．１９　指穴
２０　　　　指穴
２１　　　　突起
【図１】
0003098600.tif 000003
【図２】
0003098600.tif 000004
【図３】
0003098600.tif 000005
(57)【要約】【課題】本考案は自転車後輪に鉄板磁石２枚吸着させ対角に２箇所取付回転速度の促進をはかるものである【解決手段】鉄板磁石平面スポークに合わせて溝を掘り２枚抱き合わせ吸着させたものを上下にそれぞれ２組取付る事で遠心力惰性を引き出す事により速度促進をはかるスポークの入る溝にはシリコーンコーキング剤を施し摩擦の抵抗減少をはかる外側全体には蛍光塗料を塗装する事で夜間の走行中事故防止に役立つ【選択図】　図１
0003098597.tif 000002
【実用新案登録請求の範囲】
【請求項１】
自転車後輪に鉄板磁石２枚をスポーク外側からフレーム上に２枚抱合せ吸着吸引させて車輪上下２箇所に取付て円滑な回転を行ない速度促進を行なう器具である
【考案の詳細な説明】
【０００１】
【考案の属する技術分野】
本考案は自転車後輪に鉄板磁石を取付た。回転促進器具である
【０００２】
【従来の技術】
錘を中心からフレーム側に回転に合わせ案内板内を上下を移動していた
【０００３】
【考案が解決しようとする課題】
従来の錘振子式では上下と錘が移動するもので鉄錆砂などで正確に移動しにくい事が生じる従って錘をフレーム上に固定する事で正確な回転を行なう事で前述の欠点を解決しょうとするものである
【０００４】
【課題を解決するための手段】
本考案は鉄板磁石の内側にスポークの勾配に沿って鉄板磁石１枚に２本の溝を掘りもう１枚の鉄板磁石にも２本の溝を掘りスポークの外側よりスポークを溝に入れ抱合せ磁石の吸着力で固定する事で問題点を解決ししょうとするものである
【０００５】
【考案の実施の形態】
自転車後輪のスポークはフレームの中心から車輪中心に向かって広角勾配にひろがり１本が左側次の１本は右側と交互に勾配しながら車輪中心に向かって広がっている鉄板磁石に勾配にそった溝を掘り２枚の鉄板磁石をスポークに合せ吸着させる事で鉄板磁石は動かず固定する
【０００６】
【実施例】
添付図面に従って実施例を説明する図１は後輪に鉄板磁石を対角に取付図２は取付断面図である車輪の中心に向かって対角勾配に広がっている鉄板磁石にスポヤクに合わせて溝が掘ってあるので動かない図３は鉄板磁石にスポークに合せて１枚に２本計４本溝を掘る図４は組立図である
【０００７】
【考案の効果】
器具取付にビスやボールトナットを用いず鉄板磁石２枚が互いに吸着するので取付が簡単である又回転速度に正確に働きトラブルもない鉄板磁石の巾と厚さを変える事で回転速度変換出来る外部を蛍光塗料で塗装する事で夜間などは事故防止にも役立つ
【図面の簡単な説明】
【図１】本考案の自転車回転速度促進器具である
【図２】回転速度促進器具取付断面図である
【図３】鉄板磁石に溝を掘った平面図である
【図４】鉄板磁石組立図である
【符号の説明】
▲１▼　鉄板取付平面図
▲２▼　スポーク
▲３▼　タイヤ
▲４▼　車輪軸
▲５▼　スホーク
▲６▼　鉄板磁石取付断面図
▲７▼　タイヤ断面
▲８▼　チェーン
▲９▼　ペタル
▲１０▼　鉄板磁石内側平面図
▲１１▼　スポークが入る溝
▲１２▼　スポーク
▲１３▼　車輪タイヤフレーム
▲１４▼　脱落防止安全ピン
【図１】
0003098597.tif 000003
【図２】
0003098597.tif 000004
【図３】
0003098597.tif 000005
【図４】
0003098597.tif 000006
(57)【要約】【課題】従来の寝具は、床面に対し水平であるため、就寝時に胃酸が逆流しやすいという課題がある。【解決手段】マットレスの上半身部に１５度傾斜をつけることにより、胃酸の逆流を防止する。【選択図】　図１
0003098598.tif 000002
【実用新案登録請求の範囲】
【請求項１】
上半身部を１５度傾斜させ、胃酸の逆流を防止するマット。
【請求項２】
上記マットは下半身部と頭部を、床面に対し水平にすることを特徴とするマット。
【考案の詳細な説明】
【０００１】
【考案の属する技術分野】
本考案は、就眠時に起こる胃酸の逆流によって引き起こる、むねやけ、おくび、呑酸などの症状を予防するマットに関する。
【０００２】
【従来の技術】
近年、高齢化、食生活の欧米化、酸分泌の増加に伴い胃食道逆流症が増加している。その治療法は、日常生活の注意と食事指導が中心である。日常生活としては、腹圧の上昇が胃酸の逆流を増強するため、腹圧をあげるような動作を避けるようにする。食事指導として、香辛料、コーヒー、アルコール等を控えること。腹八分目にし、就寝前の食事を避ける。また、日常生活や食事を改善しても、症状が消失しない場合は薬物による治療が行われている。
【０００３】
【考案が解決しようとする課題】
従来の寝具は、床面に対し水平であるため、就寝時に胃酸が逆流しやすいという課題がある。
【０００４】
【課題を解決するための手段】
マットレスの上半身部に１５度傾斜をつけることにより、胃酸の逆流を防止する。また、下半身部と頭部を床面に水平にすることにより、体が足側に下がることを防止し、常に上半身が１５度の傾斜を保てるようにする。
【０００５】
【考案の実施の形態】
本考案の実施の形態を図面にて説明する。図１が実施例の側面図である。
【０００６】
図２の側面図では、θを１５度とする。１と３は床面に対し水平にする。３は枕がのる程度の幅にする。４で折り曲げることが可能にする。
【０００７】
【考案の効果】
本考案は、就眠時に起こりやすい胃酸の逆流に対し、上半身を１５度傾斜させることにより、胃酸が食道に逆流することを防止する。胃酸の逆流に伴う症状である、むねやけ、おくび、呑酸などを予防、もしくは改善できるマットである。
【図面の簡単な説明】
【図１】本考案の実施例を示した側面図である。
【図２】本考案の実施の形態を示した側面図である
【符号の説明】
１　下半身部
２　上半身部
３　頭部
４　中心折り曲げ部
θ　角度
【図１】
0003098598.tif 000003
【図２】
0003098598.tif 000004
(57)【要約】【課題】本考案は、様々な接地面の状況に対して、滑りづらく転倒の危険を緩和できる複数の先端部を用意し、また下部棒部への容易な付け替えを可能とした松葉杖であり、松葉杖使用者が転倒の危険から安心を得る事ができる様にしたものである。【解決手段】従来一体となっていた下部棒部と先端部とを別々のユニットとし、ナットにボルトを埋め込む要領で複数の先端部を容易く着脱可能な構造にした。松葉杖使用者にとって、滑りやすい地面、床面は大変に危険なものであり、また、転倒した時のダメージは健康な人と比べ、比較にならないほど大きい。杖の先端部に様々な工夫を加え、また簡単な操作で交換を可能にし、使用者の転倒による怪我の防止を願って作成したのが本考案である。【選択図】　　図１
0003098599.tif 000002
【実用新案登録請求の範囲】
【請求項１】
脇当て部、上部フレーム部、グリップ部、下部棒部、及び複数個の先端部にて構成される松葉杖において、各先端部は下部棒部に着脱可能となっており、かつ摩擦抵抗の異なる材質で、異なる形状に形成されている事を特徴とする松葉杖。
【考案の詳細な説明】
【０００１】
【考案の属する技術分野】
この考案は松葉杖先端部の構造に関するものである。
【０００２】
【従来の技術】
従来から、松葉杖の先端部に工夫を施し、様々な接地面の状況に適応しようとした事例はあるが、あくまでも下部棒部と先端部とは一体の構造であり、複数の異なる接地面状況のそれぞれに適応させた事例はない。
【０００３】
【考案が解決しようとする課題】
本考案は、様々な異なる接地面状況への適応ができなかった従来の松葉杖の欠点を補い、濡れた接地面、凍結した接地面、乾いた接地面、その他様々な複数の接地面の状況に適した先端部を選択する事で、松葉杖使用者の転倒の危険を防止し、快適な使用を可能にする松葉杖を提供しようとするものである。
【０００４】
【課題を解決するための手段】
本考案が提供する松葉杖は、下部棒部と複数個の先端部とが別々のユニットになっており、下部棒部には雌ネジが切られ、複数の先端部には雄ネジが取り付けられている事により、ナットにボルトを埋め込む要領で下部棒部と複数の先端部との着脱を容易に実施する事ができる。
【０００５】
【考案の実施の形態】
中心部に雌ネジの切られた下部棒部と雄ネジの装着された各種先端部とが互いのネジにより着脱を可能とする。
【０００６】
【実施例】
以下、添付図面に従って実施例を説明する。
図１は松葉杖の全体図であり、下部棒部（４）から先端部（５）を取り外した状態を示している。
図２は上記下部棒部（４）と先端部（５）の拡大図である。
下部棒部（４）には雌ネジが切られており、先端部（５）には雄ネジが装着されている。
【０００７】
図３〜図５に示す先端部５ａ、５ｂ、５ｃは上記先端部（５）の実施態様を示す。松葉杖を濡れた接地面で用いる場合、図３に示す先端部（５ａ）を取り付ける。先端部（５ａ）に装着されている雄ネジ（６）を回転させて下部棒部（４）の雌ネジに埋め込む事により、容易く取り付ける事ができる。
【０００８】
松葉杖を凍結した接地面で用いる場合は図４に示す先端部（５ｂ）を、乾いた接地面で用いる場合は図５に示す先端部（５ｃ）を取り付ける。
取り付け方法は図３における先端部（５ａ）の場合と同様である。
【０００９】
【考案の効果】
松葉杖使用時に、先端部を適切に選択し、滑り止め効果を高める事により、使用者の転倒防止に役立つ。
【図面の簡単な説明】
【図１】松葉杖の全体図であり、先端部（５）は取り外された状態となっている。
【図２】下部棒部（４）及び先端部（５）を拡大した図である。
【図３】左は濡れた接地面用の先端部（５ａ）が下部棒部（４）に取り付けられた状態、右は取り付け前の状態を示す。先端部の材質は摩擦抵抗の大きな塩化ビニール樹脂。
【図４】左は凍結した接地面用の先端部（５ｂ）が下部棒部（４）に取り付けられた状態、右は取り付け前の状態を示す。先端部はステンレス製の金属スパイク。
【図５】左は乾いた接地面用の先端部（５ｃ）が下部棒部（４）に取り付けられた状態、右は取り付け前の状態を示す。先端部の材質は天然硬質ゴム。
【符号の説明】
１　脇当て部
２　上部フレーム部
３　グリップ部
４　下部棒部
５　先端部
６　雄ネジ
【図１】
0003098599.tif 000003
【図２】
0003098599.tif 000004
【図３】
0003098599.tif 000005
【図４】
0003098599.tif 000006
【図５】
0003098599.tif 000007
(57)【要約】　　　（修正有）【課題】伸縮性に富んだインナーウエアの提供。【解決手段】耐水性、透湿性を備えた薄葉フィルム３に対し、該薄葉フィルム全体が部分的に不均一な肉厚の形成されたものとなし、これを伸縮性布地１，２でサンドイッチ状となした布地を作成し、これにより縫製する。このさい、薄葉フィルムの肉厚寸法を薄葉部分のそれと厚くする部分との比率は、１：１．５〜３となされる。【選択図】　　　図２
0003098229.tif 000002
【実用新案登録請求の範囲】
【請求項１】
耐水性、透湿性を備えた薄葉フィルムに対し、該薄葉フィルム全体が部分的に不均一な肉厚の形成されたものとなし、これを伸縮性布地でサンドイッチ状となした布地を作成し、これにより縫製したことを特徴とするインナーウエア。
【請求項２】
薄葉フィルムの肉厚寸法を薄葉部分のそれと厚くする部分との比率は、１：１．５〜３となされることを特徴とする請求項１記載のインナーウエア。
【考案の詳細な説明】
【０００１】
【考案の属する技術分野】
本考案は専ら冬季に於ける戸外活動で着用するインナーウエアに関する。
【０００２】
【従来の技術】
インナーウエアは表裏層をトリコットなどの伸縮布地となした内層に分子構造上で透湿、耐水性のあるフィルムをサンドイッチ状になしたものを作成し、これをタイツやシャツ或いはベストなどに縫製したものである。
【０００３】
【特許文献】
実用新案登録第３０７４７１２号
【０００４】
【考案が解決しようとする課題】
インナーウエアは風雨を通さず、発汗によるムレを防ぐ上で重宝がられているものの、従来製品はサンドイッチ状に挟み込んだフィルムが伸縮性に乏しいため、例え表裏層の布地が伸縮してもこれについて行けず、運動時の窮屈性を解消させるものとなっていない。
本考案は斯有る問題点を解決せんとするものである。
【０００５】
【課題を解決するための手段】
本考案のインナーウエアは耐水性、透湿性を備えた薄葉フィルムに対し、該薄葉フィルム全体が部分的に不均一な肉厚を形成されたものとなし、これをトリコットなど伸縮性布地でサンドイッチ状となした布地に作成し、これを使用して縫製することを特徴とする。このさい、肉厚寸法は薄葉部分のそれと厚くする部分との比率を、１：１．５〜３となされるようにすると良い。
【０００６】
【考案の実施の形態】
図１は本考案を実施したインナーウエア用のタイツ例であり、その形状や縫製の仕方は従来のものと変わりがない。
図２は図１に使用された布地の部分断面拡大図であり、図３は上記で使用されるフィルムの部分平面拡大斜視図である。
【０００７】
図２に於いて１及び２はトリコット布地である。３は本考案で使用するフィルムであって、該フィルム３が薄葉フィルムであり、且つその分子の構造が外部からの風雨は通さないが、身体の内部からの発汗を放湿させる機能を備えたものであることは従来品と変わりがない。蓋し、本考案では上記各図面に見られる通り、その平面上での広がりで部分的に不均一な肉厚部分が形成されるものとなしてある。具体的には肉厚ｔの厚い部分ｍと薄い部分ｎが散在する状態の構成のものとなしてあり、本考案者の数多実験結果から通常ｎとｍの好ましい肉厚比率は凡そ１：１．５〜３の関係となされる。
【０００８】
而して、上記の通り構成したフィルムは、表裏面の布地が伸縮するさい、これに伴って共に円滑な伸縮作用を呈するものとなるのであり、このさい肉厚ｔの厚い部分ｍは伸縮時の弾性作用を効果的に許容とすると同時に、原状回復を円滑に行わしめるものとなるのである。
【０００９】
【考案の効果】
本考案は以上の通り薄葉フィルムを特殊な構成にするものであり、従って使用布地が従来品のものに比べて縦、横、斜めなどの何れの方向にも対して伸縮容易であるため、タイツやシャツなどの各種縫製品となされたさい、手足や身体の屈伸など各種運動機能に円滑且つ適確に順応し、何ら抵抗感を与えないものとなるのであり、従って違和感の無い大変着心地の良いインナーウエア製品を実現することができるものとなった。
【図面の簡単な説明】
【図１】本考案を実施したインナータイツ例の正面図である。
【図２】図１に使用された布地の部分拡大断面図である。
【図３】本考案で伸縮性布地間へサンドイッチ状に使用される薄葉フィルムの部分平面斜視図である。
【符号の説明】
１　　　トリコット布地
２　　　トリコット布地
３　　　薄葉フィルム
【図１】
0003098229.tif 000003
【図２】
0003098229.tif 000004
【図３】
0003098229.tif 000005
(57)【要約】　　　（修正有）【課題】クリーニング機能を具えたゴム手袋の提供。【解決手段】洗浄、擦り洗い等の動作に便利な手袋とされ、手袋本体１０の掌部分及び親指部分に粘着区１１，１２が形成され、それぞれヘチマ繊維布３０，３１等のクリーニング手段が粘着され、粘着区に粘着帯４０，４１が設けられ、ヘチマ繊維布等のクリーニング手段の背面に対応する粘着帯が設けられ、手袋本体とヘチマ繊維布等クリーニング手段が相互に粘着され、これにより手袋本体に着脱自在にヘチマ繊維布等クリーニング手段が装着され、クリーニングに更に便利で作業が順調に行えるものとされる。【選択図】　　　　図１
0003098228.tif 000002
【実用新案登録請求の範囲】
【請求項１】
手袋本体の掌部分及び親指部分に粘着区が形成され、粘着区に、接着、縫合、或いは高周波溶接方式で粘着帯が固定され、該粘着区に対応する形状のヘチマ繊維布等のクリーニング手段の背面にも接着、縫合、或いは高周波溶接方式で粘着帯が固定され、これら粘着帯により手袋本体にクリーニング手段が着脱自在に取り付けられたことを特徴とする、クリーニング機能を具えたゴム手袋。
【請求項２】
請求項１記載のクリーニング機能を具えたゴム手袋において、手袋本体が五つ指形態とされたことを特徴とする、クリーニング機能を具えたゴム手袋。
【考案の詳細な説明】
【０００１】
【考案の属する技術分野】
本考案は一種のクリーニング機能を具えたゴム手袋に係り、特に、手袋の掌側にヘチマ繊維布等クリーニング手段が着脱自在に装着されて、クリーニング作業に便利で作業を順調に行える、クリーニング機能を具えたゴム手袋に関する。
【０００２】
【従来の技術】
一般にゴム手袋の機能は、合成洗剤による手の荒れを防止することにあり、使用時には更にヘチマ繊維布等のクリーニング用品を利用し食器や壁面等の擦り洗いを行う。このためゴム手袋でヘチマ繊維布等クリーニング用品を握持する時は、握持しにくく滑りやすいという問題があり、このため洗浄動作が滑らかに行えないという欠点がある。
【０００３】
【考案が解決しようとする課題】
周知のゴム手袋の、ヘチマ繊維布等クリーニング用品を握持する時の洗浄動作順調に行えない問題を鑑み、本考案はゴム手袋の掌部分及び親指部分に着脱自在にヘチマ繊維布等クリーニング手段を装着できるようにし、洗浄動作に便利とし且つ滑らかに洗浄動作が行えるようにするものである。
【０００４】
本考案の主要な目的は、洗浄、擦り洗い等の動作に便利なクリーニング機能を具えたゴム手袋を提供することにある。
【０００５】
【課題を解決するための手段】
請求項１の考案は、手袋本体の掌部分及び親指部分に粘着区が形成され、粘着区に、接着、縫合、或いは高周波溶接方式で粘着帯が固定され、該粘着区に対応する形状のヘチマ繊維布等のクリーニング手段の背面にも接着、縫合、或いは高周波溶接方式で粘着帯が固定され、これら粘着帯により手袋本体にクリーニング手段が着脱自在に取り付けられたことを特徴とする、クリーニング機能を具えたゴム手袋としている。
請求項２の考案は、請求項１記載のクリーニング機能を具えたゴム手袋において、手袋本体が五つ指形態とされたことを特徴とする、クリーニング機能を具えたゴム手袋としている。
【０００６】
【考案の実施の形態】
図１、図４及び図５に示されるように、本考案は手袋本体１０の掌部分と親指部分にそれぞれ粘着区１１、１２が設けられて、粘着区１１、１２に対応する形状のヘチマ繊維布３０、３１等のクリーニング手段が粘着されてなる。
【０００７】
該粘着区１１、１２には、接着、縫合、或いは高周波溶接方式で粘着帯２０、２１が固定され、該ヘチマ繊維布３０、３１の背面にも接着、縫合、或いは高周波溶接方式で粘着帯４０、４１が固定され、これにより手袋本体１０とヘチマ繊維布３０、３１が着脱自在に粘着される。
【０００８】
手袋本体１０に着脱自在にヘチマ繊維布３０、３１等クリーニング手段が設けられたことにより、クリーニング上、更に便利となる。
【０００９】
また、図２、３に示されるように、本考案の別の実施例によると、手袋本体５０の上方が手指状とされ、掌部分とその上方の各指部分にそれぞれ粘着区５１が設けられて粘着帯６０が接着、縫合、或いは高周波溶接方式で固定され、親指部分にも粘着区５２が設けられて接着、縫合、或いは高周波溶接方式で粘着帯６１が固定され、粘着区の形状に対応するヘチマ繊維布７０、７１がその背面の粘着帯８０、８１により着脱自在に装着され、先の実施例と同じ効果を達成するものとされる。
【００１０】
【考案の効果】
本考案のクリーニング機能を具えたゴム手袋は、着脱自在にヘチマ繊維布等クリーニング手段が装着され、洗浄、擦り洗いの動作に便利である。
【図面の簡単な説明】
【図１】本考案の第１実施例の分解斜視図である。
【図２】本考案の第２実施例の分解斜視図である。
【図３】本考案の第２実施例の斜視図である。
【図４】本考案の第１実施例の断面図である。
【図５】本考案の第１実施例の斜視図である。
【符号の説明】
１０　手袋本体
１１、１２　粘着区
２０、２１　粘着帯
３０、３１　ヘチマ繊維布
４０、４１　粘着帯
５０　手袋本体
５１、５２　粘着区
６０、６１　粘着帯
７０、７１　ヘチマ繊維布
８０、８１　粘着帯
【図１】
0003098228.tif 000003
【図２】
0003098228.tif 000004
【図３】
0003098228.tif 000005
【図４】
0003098228.tif 000006
【図５】
0003098228.tif 000007
(57)【要約】【課題】グリップ部を滑りにくくしたコーキングガンを提供する。【解決手段】コーキングガンにおいて、合成樹脂で形成されるグリップ部１０の手の触れる表面部分にエラストマーからなる滑り止め部１２を設けた。滑り止め部は、グリップ部の固定部１０Ａと可動部１０Ｂの双方又は一方に設けることができる。【選択図】　　　　図１
0003098294.tif 000002
【実用新案登録請求の範囲】
【請求項１】
充填剤を保持する手段と、
合成樹脂製のグリップ部と、
前記グリップ部の動作に応じて前記充填剤を圧縮する手段とを、
有するコーキングガンにおいて、
前記グリップ部の表面にエラストマーからなる滑り止め部を設けたことを特徴とするコーキングガン。
【請求項２】
前記グリップ部と前記滑り止め部が二重成型により構成されていることを特徴とする請求項１に記載のコーキングガン。
【請求項３】
前記グリップ部と前記滑り止め部がインサート成型により構成されていることを特徴とする請求項１に記載のコーキングガン。
【請求項４】
前記滑り止め部が前記グリップ部の表面に形成された斑点状の複数の部分からなることを特徴とする請求項１から３のいずれか１つに記載のコーキングガン。
【請求項５】
前記滑り止め部が、前記グリップ部に対して融着するとともに、前記グリップ部を抱き込む形で取り付けられていることを特徴とする請求項１から４のいずれか１つに記載のコーキングガン。
【考案の詳細な説明】
【０００１】
【考案の属する技術分野】
本考案は、コーキングガンに関し、特にそのグリップ部の改良に関する。
【０００２】
【従来の技術】
建築工事などでシーリング剤を充填するために、いわゆるカートリッジ型コーキングガンや、吸入型コーキングガンが用いられる。かかるコーキングガンでは、グリップ部を手で握りしめることにより、シーリング剤の充填されているカートリッジや吸入部を圧縮して充填動作を行うよう構成されている。
【０００３】
【考案が解決しようとする課題】
しかし、かかるコーキングガンのグリップ部は合成樹脂で形成されているため操作者が手に汗をかくと、滑りやすくなり、的確な操作が困難となることがあった。
【０００４】
したがって、本考案は、グリップ部を滑りにくくしたコーキングガンを提供することを目的とする。
【０００５】
【課題を解決するための手段】
上記目的を達成するため、本考案では、合成樹脂で形成されるグリップ部の表面にエラストマーからなる滑り止め部を設けたものである。
【０００６】
すなわち本考案によれば、充填剤を保持する手段と、
合成樹脂製のグリップ部と、
前記グリップ部の動作に応じて前記充填剤を圧縮する手段とを、
有するコーキングガンにおいて、
前記グリップ部の表面にエラストマーからなる滑り止め部を設けたことを特徴とするコーキングガンが提供される。
【０００７】
また前記グリップ部と前記滑り止め部が二重成型又はインサート成型により構成されていることは、本考案の好ましい態様である。また、前記滑り止め部が前記グリップ部の表面に形成された斑点状の複数の部分からなることは、本考案の好ましい態様である。さらに、前記滑り止め部が、前記グリップ部に対して融着するとともに、前記グリップ部を抱き込む形で取り付けられていることは、本考案の好ましい態様である。
【０００８】
【考案の実施の形態】
以下、図面を参照して本考案の好ましい実施の形態について説明する。図１は本考案に係るコーキングガンの好ましい実施の形態の部分側面図である。すなわち、図１は、コーキングガンの先端部と後端部を一部省略して示している。このコーキングガンは、カートリッジ（図示省略）を搭載する本体部１４と、本体部１４の後端近傍の下方に設けられているグリップ部１０とを有する。グリップ部１０は、固定部１０Ａと可動部１０Ｂとを有している。可動部１０Ｂは、固定部１０Ａに対して揺動可能に取り付けられ、使用者が一方の手で固定部１０Ａと可動部１０Ｂを握ったとき、可動部１０Ｂが固定部１０Ａに引き寄せられることにより、カートリッジを圧縮するよう構成されている。上記構成は、従来のコーキングガンと同様である。本考案のコーキングガンでは、上記従来の構成に加えて、グリップ部１０の手の触れる部分にエラストマーからなる滑り止め部１２を付加している。
【０００９】
本実施の形態では、滑り止め部１２は、斑点状の複数の部分として設けられている。この滑り止め部１２は、グリップ部１０を合成樹脂で成型する際に二重成型（二色成型ともいう）又はインサート成型により付着させることができる。具体的には、グリップ部１０は、ポリカーボネイトや、ポリアミドなどで構成され、その表面の一部にエラストマーからなる滑り止め部１２が配されている。エラストマーとしては、スチレン系、ブタジエン系、ポリオレフィン系、ポリエステル系、エポキシ系、ポリウレタン系のものを用いることができる。
【００１０】
二重成型の場合は、１台の成型機に２基の射出機能を持たせ、１次成型及び２次成型を１台の成型機で２種の材料により順次成型する。なお、二重成型に代えて、インサート成型を行うことも可能である。インサート成型の場合は、まず１次成型の製品を成型し、その後その成型品を金型にはめ込んだ状態で２次成型を行う。すなわち、グリップ部１０を先に成型し、次いで滑り止め部１２を成型する。なお、１次成型時より２次成型時の樹脂の温度は低く設定される。
【００１１】
グリップ部１０を構成する固定部１０Ａと可動部１０Ｂの双方に滑り止め部１２を設けることができるが、図１に示した例では、滑り止め部１２は固定部１０Ａにのみ設けられていて、可動部１０Ｂの表面にはそれ自体を構成する樹脂により凸部１６を形成している。図２は、固定部１０Ａの断面を示す断面図である。図２に示すように、エラストマーからなる滑り止め部１２は、二重成型により、グリップ部１０の固定部１０Ａに対して融着するとともに、固定部１０Ａを抱き込む形で取り付けられているので、剥離するおそれがない。
【００１２】
このように構成された本考案にかかるコーキングガンは、そのグリップ部１０の手の触れる部分にエラストマーからなる滑り止め部１２が設けられているので、操作者がコーキングガンを操作する際に、汗などで手がすべることがなく、コーキングガンを確実に操作することができる。
【００１３】
【考案の効果】
以上説明したように本考案によれば、コーキングガンのグリップ部にエラストマーからなる滑り止め部を設けたので、操作者の手に汗がにじんだりしても、滑りを効果的に防止することができ、作業上の支障をきたすことがない。
【図面の簡単な説明】
【図１】本考案に係るコーキングガンの部分側面図である。
【図２】図１中のグリップ部の固定部の断面図である。
【符号の説明】
１０　グリップ部
１０Ａ　固定部
１０Ｂ　可動部
１２　滑り止め部
１４　本体部
１６　凸部
【図１】
0003098294.tif 000003
【図２】
0003098294.tif 000004
(57)【要約】　　　（修正有）【課題】モップに付着した塵埃の除去を手作業による不衛生、非効率を電動機械により作業効率を高め人体衛生面の改善を行う優れたモップ清掃機を提供するものである。【解決手段】清掃機本体の内部にはモップ保持具６を数個配置しカムシャフト７に連結されている。モ−タ−４の回転によりカムシャフトを介してモップ保持具は上下に振動を発生する。モップ保持具に保持されているモップは上下に激しく揺れ塵埃を落とす。密閉された容器なので外部に塵埃が飛散せず吸引機５により回収される。亦、電磁石を使用するバイブレ−タ−にモップ台を接続してこのモップ台を振動させる事もできるものである。【選択図】　　　図３
0003098251.tif 000002
【実用新案登録請求の範囲】
【請求項１】
モップを収容するための蓋付きの密閉され得る容器本体内に、吸引部及び発信部を配置するとともに、該発信部において振動するモップ保持具を設けて成り、前記容器本体上面部にモップ柄を保持する脚を設けるモップ清掃機。
【請求項２】
発信部を、モ−タ−と該モ−タ−の回転によりカムシャフトで受動し、該カムシャフトに連動して振動するモップ保持具で構成する請求項１記載のモップ清掃機。
【請求項３】
発信部を、電磁石で駆動するバイブレ−タ−にモップ台を直接接続して成るモップ保持具とする請求項１記載のモップ清掃機。
【考案の詳細な説明】
【０００１】
【考案に属する技術分野】
モップの清掃を機械的に簡単かつ安全にできるようにする清掃機に関するものである。
【０００２】
【従来の技術】
モップ清掃は従来手作業で行われていたが、モップを機械的に清掃するものとして実用新案登録第３０２４５２２号が知られている。
【０００３】
【考案が解決しようとする課題】
しかし、従来のモップ清掃機においては、清掃に使用した汚れたモップをモップ清掃機に入れる際、床から持ち上げて入れるので塵埃が多少床に落ちる。又モップの柄ホルダ−がひとつしかなく作業中不安定である等の問題を抱えていた。
従って、安定して容易に操作を可能とするモップ清掃機を提供することが本考案における課題となる。
【０００４】
【課題を解決するための手段】
モップを収容する開閉用蓋を有する容器本体内に、吸引部と、モ−タ−に拠り駆動するカムシャフトを介して振動する発信部或いは電磁石に拠り駆動するバイブレ−タ−にモップ台を接続して成る発信部で構成するモップ保持具とを配置し、容器本体上面にモップ柄を支持する脚状支持体を設けるモップ清掃機として課題を解決している。
【０００５】
【考案の実施の形態】
以下、図面に示す実施例に従って本考案の実施の形態に付いて説明する。
図１において、モップ清掃機の容器本体１の蓋８を開け、モップを床から上げずに蓋８の先端よりモップ保持具６に押し込み、蓋８を閉じる。モップの柄は脚状のモップ柄支持体２と保持環９、１０により保持する。
【０００６】
起動スイッチ３より吸引部に於ける吸引機５及びモ−タ−４を作動し、モップ保持具６に振動を発生させ塵埃を落とし吸引機５により塵埃を回収する。数十秒後起動スイッチ３を切り本体１の蓋８を開けモップ柄支持体９、１０より取り外すことにより清掃が完了する。
【０００７】
図４に発信部の他の実施例を示すが、電磁石に振動するバイブレ−タ−１３に直接モップ台１４に振動を与えるものであり、モップ台１４にモップを乗せて排塵するものである。
【考案の効果】
密閉された容器内での処理のため塵埃の飛散なく衛生的であり、又汚れたモップを床から上げないので塵埃が落ちないため、残った塵埃を取り除く必要がなく、亦脚状のモップ柄支持体で保持しているので安定性があり、誰にも操作が可能と成る特有の効果を有するものである。
【図面の簡単な説明】
【図１】本考案の全体外観図である。
【図２】本考案の透視図である。
【図３】本考案の使用法を示す部分図である。
【図４】発信部の他の例を示す部分図である。
【符号の説明】
１　容器本体
２　モップ柄支持体
３　起動スイッチ
４　モ−タ−
５　吸引機
６　モップ保持具
７　カムシャフト
８　蓋
９　下部モップ柄保持環
１０　上部モップ柄保持環
１１　ゴムカバ−
１２　モップ
１３　バイブレ−タ−
１４　モップ台
【図１】
0003098251.tif 000003
【図２】
0003098251.tif 000004
【図３】
0003098251.tif 000005
【図４】
0003098251.tif 000006
(57)【要約】【課題】ゴルフのグリーン傾斜量及び方向は周囲の景観に翻弄されて目測を誤るケースが多く、パッティング不調の大きな要因となっている。【解決手段】本考案は底の浅い半球状の容器と透明カバーの中に自由に転がる鋼球があって、この半球状の透過型容器背面には最深部を中心とする同心円状の色分けされたリングが印刷されており、グリーン面に置かれた本考案品の鋼球がどのリング領域で静止するかによって、グリーンの傾き角及び方位を精確に読むことが出来る。【選択図】　　　図１
0003098207.tif 000002
【実用新案登録請求の範囲】
【請求項１】
透明材でカバーした底の浅い球状容器の中に１個の鋼球があって容器内を自在に転がる手段と、前記球状容器は透明材で成型され、その背面には最深部を中心とした同心円状の色分けした複数リング
が印刷されている事を特徴としたグリーンスロープセンサー。
【考案の詳細な説明】
【０００１】
【産業上の利用分野】
本考案は目測では判別しにくい僅かな傾きを検出するセンサーで、例えばゴルフのグリーン傾斜角を簡単に読み取とれる機器である。
【０００２】
【従来の技術】
従来の簡便な傾斜判別器なるものは、密閉された容器内に水溶液と小さな空気泡を入れて、この空気泡が容器中心からずれる量で容器が傾いているかを判別するものであった。
【０００３】
【考案が解決しようとする課題】
従来の簡便な方法では、溶液の表面張力や粘性等の物性から、空気泡のずれ量で容器の傾斜を定性的に判別できても、より正確に定量的な傾斜角を読み取ることは出来なかった。
【０００４】
【課題を解決しようとするための手段】
前述した目的を達成するために本考案は、底の浅い半球状の容器と自由に転がる鋼球があって、この半球状の容器は透明材で成型し、その背面には最深部を中心とした同心円状のリングを色分けして印刷しておく。
【０００５】
【作用】
本考案では、グリーン面に置いた時の球状容器の傾きを自由に転がる鋼球の静止位置と、容器背面に印刷された同心円状のリング位置関係から、精度良く読み取るものである。
【０００６】
【実施例】
以下、図面に基づいてゴルフのグリーン傾斜測定を詳細に説明する。
図１は本考案の概観図で底の浅い半球状の透明容器１があって、その容器外壁には最深部を中心とした同心円状のリング（傾斜角線）２が印刷されており、この球面内を自由に転がる鋼球３の静止位置と上記印刷した傾斜角線から傾斜量を読み取るものである。
【０００７】
図２は本考案品のＡ−Ａ’断面図を示すと共に、グリーン面の傾き角θと鋼球３の静止位置の相関を示している。透過型球状容器１の背面には最深部の中央Ｐを中心に同心円の傾斜角線２が印刷されていて、鋼球３はθに相当する傾斜角線付近に静止する。
【０００８】
【考案の効果】
ゴルフのグリーン傾斜量及び方向は周囲の景観に翻弄されて目測を誤るケースが多く、パッティング不調の大きな要因となっている。本来パッティングは平坦のグリーン上でパターのテークバック量とボールの転がり距離が安定した関係になるように練習している。これに対しグリーンが傾いていると、従来は傾き量に応じてテークバック量を感覚的に決める為、上記理由でパッティングの成功率は低かった。これに対し本考案品のグリーンスロープセンサーを使えば、グリーンの傾き量を精度良く読み取れるためテークバック量も定量的に判断でき、パッティングの成功率を上げることができる。
【図面の簡単な説明】
【図１】グリーンスロープセンサーの概観図
【図２】グリーンスロープセンサーの断面図
【符号の説明】
１　　　　球状容器
２　　　　同心円リング（傾斜角線）
３　　　　鋼球
４　　　　カバー
【図１】
0003098207.tif 000003
【図２】
0003098207.tif 000004
【手続補正書】
【提出日】平成15年6月4日(2003.6.4)
【手続補正１】
【補正対象書類名】明細書
【補正対象項目名】請求項１
【補正方法】変更
【補正の内容】
【請求項１】
透明材でカバーした底の浅い球状容器の中に１個の鋼球があって容器内を自在に転がる手段を具備し、前記球状容器は透明材で成型され、その背面には最深部を中心とした同心円状の複数リングが表示されている事を特徴としたグリーンスロープセンサー。
【手続補正２】
【補正対象書類名】図面
【補正対象項目名】図１
【補正方法】変更
【補正の内容】
【図１】
0003098207.tif 000005
(57)【要約】【課題】パッティングのポイントはカップまでの距離を知り、その距離に合った打ち方をする事であるが、精確な距離を目測なり歩測で出来るまでには長い経験が必要であった。【解決手段】パターのグリップ終端を目の位置に合わせ、ボールの真上にパターが来る様に腕を伸ばして吊り下げる。この状態でカップを覗いた時の視線がパターと交差する位置をＰとする。グリップ終端からＰまでの長さはボールからカップまでの距離と比例関係にあり、標準体型から一義的に距離を求めることが出来る。従ってグリップ終端から或る間隔ごとに目盛りを設け、そこにカップまでの距離換算値を表記したシールを貼ることで、いつでも精確なパッティングの距離数が読み取れる。【選択図】　　　図３
0003098208.tif 000002
【実用新案登録請求の範囲】
【請求項１】
グリップ終端部もしくはその周辺に設けた貫通穴からシャフト部にかけて或る間隔毎に目印を設けたことを特徴とするゴルフ用
パター。
【考案の詳細な説明】
【０００１】
【産業上の利用分野】
本考案はゴルフのパッティングの際に、カップまでの距離を簡単な方法で測長する方法を提供するものである。
【０００２】
【従来の技術】
従来の測長方法はボールからカップまでの歩数で測っていたが誤差が大きく、精度良く測るには相当の経験が必要であった。
【０００３】
【考案が解決しようとする課題】
ゴルフのパッティングではグリーンの傾斜角やボールの転がり抵抗等の変動要因を考慮してテークバック量を決めるが、先ずは正確な距離を知ることが基本である。しかし歩数や目測で知るには長い経験が必要であった。
【０００４】
【課題を解決しようとするための手段】
プレーヤが水平に伸ばす腕の長さと目の位置及びボールの真上に手で吊り下げたパターの或る長さで出来る直角三角形は、プレーヤの目の高さとカップまでの距離で出来る直角三角形と相似である事を利用して、パッティングの距離を立ったままで精確に測るものである。
【０００５】
【作用】
プレーヤはグリーン上にあるボールの真上にパターが来るように腕を伸ばして吊り下げ、グリップの終端は目の高さに合わせてカップを見る。その目線と交差するパターの目盛りを読むことでカップまでの距離が分かる。
【０００６】
一般に標準体型から腕の長さや目の位置（グリーン面からの高さ）はプレーヤの身長でほぼ一義的に決まるため、パターの目盛りにはプレーヤ身長毎に換算したカップまでの距離数が示されている。
【０００７】
【実施例】
以下、図面に基づいて詳細に説明する。
図１は身長Ｌの人がグリーン上でカップＡまでの距離を測っている姿を示している。ボールＢの真上でパター１のグリップ終端Ｄを目の位置Ｃに合わせて吊り下げ、腕は伸ばしたままの状態にする。この状態でカップを見るとパターと目線が交差する位置Ｐが存在する。
【０００８】
図１からも明らかなように、直角三角形ＰＡＢとＰＣＤは相似の関係にある。
距離ＡＢ＝腕の長さＣＤ×（ＰＢ／ＰＤ）
が求まる。
従ってＰＤとＡＢの関係は、身長Ｌ、目の高さＫ１×Ｌ、腕の長さＫ２×Ｌとした場合、
パターの目盛ＰＤ＝Ｋ１Ｌ×Ｋ２Ｌ／（ＡＢ＋Ｋ２Ｌ）
ただしＫ１、Ｋ２は人間の標準体型で決まる係数
【０００９】
身長Ｌをパラメータにしてカップまでの距離とパターの目盛りの関係をグラフにしたのが図２である。一般に１ｍの距離は目で測れることから、これを除いて図中７ポイントを定めれば、途中の区間はほぼ直線で近似できる。
【００１０】
本考案品は図３で示すようにパターのグリップ終端から３、６、１０、１５、２０、３０、４０ｃｍの所に目盛りを付けて、短冊のシール２が貼れる平坦な小スペースを用意しておく。身長１５０、１６０、１７０、１８０、１９０ｃｍの人がこのパターで測長した場合の距離が表１である。この表を糊の付いたシート状にして格子状に切り目を付け、各プレーヤが自分の身長に近い距離表示部を台紙から剥がして、本発明のパターにある目盛りの小スペースに貼り付けるものである。
【表１】
0003098208.tif 000003
【００１１】
腕を伸ばしグリップの終端を目の位置に合わせるのは多少の訓練が必要となるため、簡便な方法としてグリップ終端付近に細い貫通穴３を用意する。この穴から光が見えればプレーヤの目の位置に穴位置がある。これを基準に測長用の目盛りを配置する。
【００１２】
【考案の効果】
カップまでの距離を精確に把握し、距離に合ったパターのテークバック量を普段の練習で身に付けておけば、安定したパッティング操作が出来る。グリーンの傾斜による影響はそのテークバック量に、図４で示す相関曲線から得られる増減量を加味しさえすれば良い。
【００１３】
図４は次の原理に基づき算出されたものである。
即ちパッティング動作を腕１本とパターを一体にした振子として扱い、テークバックによりパター先端の等価重心が上昇して位置エネルギーが蓄えられる。パッティングによって位置エネルギーの一部がボールの運動エネルギーに与えられ、この運動エネルギーは転がり抵抗による熱消失と、グリーン高低差の位置エネルギーに蓄えられる。ボールの初期運動エネルギーが完全に消失した所でボールは静止する。
【００１４】
一般に身長と腕の長さ及び腕の重量等は標準体型から一義的に求まり、身長によってテークバック量とパッティング距離の相関曲線は異なるが、図４は身長１６８ｃｍ、体重６４Ｋｇを基準に求めたものである。
【図面の簡単な説明】
【図１】パッティング距離数を測長する原理図
【図２】パターの目盛りとパッティング距離数の相関グラフ
【図３】本考案品のパター概観図
【図４】グリーン傾斜角に対するテークバック量とパッティング距離の相関グラフ
【符号の説明】
１　　　パター
２　　　シール
３　　　貫通穴
Ａ　　　グリーン上のカップ位置
Ｂ　　　グリーン上のボール位置
Ｃ　　　プレーヤの目の位置
Ｄ　　　目の位置に合わせたグリップ終端部
Ｐ　　　パター越しに見えるカップの位置（視線とパターの交差点）
【図１】
0003098208.tif 000004
【図２】
0003098208.tif 000005
【図３】
0003098208.tif 000006
【図４】
0003098208.tif 000007